(57)【要約】【課題】固定接点や基板表面と移動接点との摺動に起因する接続不良を防止する。【解決手段】回動部材４１と、回動部材４１に取り付けられた移動接点４２と、基板１２に形成された複数の固定接点３１と、回動部材４１の回動中心４１ａから離間する向きに凹んだ凹部２３ａと回動中心４１ａに向けて突出する凸部２３ｂとが開口部２２の縁部２３に交互に形成された正面パネル２１とを備え、固定接点３１は、回動中心４１ａと凹部２３ａとを結ぶ線Ｌ１上に形成され、回動部材４１は、ダイヤル部５１と、ダイヤル部５１の中心部５１ａから突出するロッド部５２と、回動部材４１の回動時に開放端部５３ｂが縁部２３に沿って移動する際の回動中心４１ａに対する接離動作に伴って基板１２に対して接離するように弾性変形するアーム部５３とを備え、移動接点４２は、アーム部５３の中間部位に取り付けられてアーム部５３の弾性変形に伴って固定接点３１に対して接離する。【選択図】図３
2011048908.tif 000002
【特許請求の範囲】
【請求項１】
ケース体に回動可能に配設された回動部材と、当該回動部材に取り付けられて当該回動部材の回動に伴って移動する移動接点と、前記ケース体内に配置された基板における前記回動部材の回動中心を中心とする円上において互いに離間するように形成されると共にその形成位置に移動した前記移動接点に接続される複数の固定接点とを備えたロータリースイッチであって、
開口部を有して前記ケース体内の前記基板に対向配置されると共に前記回動中心から離間する向きに凹んだ凹部と当該回動中心に向けて突出する凸部とが当該開口部の縁部に交互に形成された板部材を備え、
前記固定接点は、前記基板が前記ケース体内に配置された状態の平面視において前記回動中心と前記凹部とを結ぶ線上に形成され、
前記回動部材は、当該回動部材を回動させる回動操作用のダイヤル部と、当該ダイヤル部の中心部から前記基板側に向けて突出するように当該ダイヤル部に設けられたロッド部と、基端部が前記ロッド部に固定されて開放端部によって前記開口部の前記縁部を押圧可能に構成されると共に当該回動部材に対する回動操作時に当該開放端部が当該縁部に沿って移動する際の前記回動中心に対する接離動作に伴って前記基板に対して接離するように弾性変形するアーム部とを備え、
前記移動接点は、前記アーム部の前記基端部および前記開放端部の中間部位に取り付けられて前記回動部材の回動時における当該アーム部の前記弾性変形に伴って前記固定接点に対して接離するロータリースイッチ。
【請求項２】
前記アーム部は、前記ダイヤル部から前記基板に向かう向きで突出するように湾曲形成されている請求項１記載のロータリースイッチ。
【請求項３】
請求項１または２記載のロータリースイッチと、当該ロータリースイッチの前記回動部材に対する回動操作に応じて動作が切り替えられる測定回路とを備えた測定装置。
【発明の詳細な説明】
【技術分野】
【０００１】
本発明は、回動部材の回動によって移動接点と固定接点とを接続させるロータリースイッチ、およびそのロータリースイッチを備えた測定装置に関するものである。
【背景技術】
【０００２】
この種のロータリースイッチとして、特開平１０−２４１４９５号公報に開示されたロータリースイッチ装置が知られている。このロータリースイッチ装置は、テスターに組み込まれて、テスターの測定モードを切替える際に用いられるスイッチであって、ダイヤルと、ダイヤルをクリック的に回動（回転）させるクリック機構と、接点ブラシ（移動接点）および導通接点（固定接点）からなるスイッチ本体とで構成されている。このロータリースイッチ装置では、ダイヤルが回動させられた際に、この回動に伴って移動接点が移動して固定接点に摺接することにより、両者が電気的に接続される。これにより、テスターの測定モードが切替えられる。
【先行技術文献】
【特許文献】
【０００３】
【特許文献１】特開平１０−２４１４９５号公報（第２−３頁、第１−３図）
【発明の概要】
【発明が解決しようとする課題】
【０００４】
ところが、上記のロータリースイッチ装置を含む従来のこの種のロータリースイッチには、以下の問題点がある。すなわち、従来のこの種のロータリースイッチでは、固定接点がテスター内の基板上に設けられており、移動接点がその基板の表面に接触した状態で移動させられる。この場合、移動接点と固定接点とを電気的に確実に接続させるためには、移動接点を基板の表面に対して押圧させる必要がある。このため、従来のこの種のロータリースイッチでは、移動接点や固定接点の表面に形成されている接触抵抗低減用のメッキ（例えば、金メッキ）が、押圧状態での移動接点の移動（摺動）によって削り取られることがある。この場合、メッキが削り取られたときには、移動接点や固定接点の表面が酸化して絶縁物としての金属酸化物によって覆われることにより、両接点の接続不良を生じるおそれがある。また、各接点表面の金属酸化物や、基板の表面に形成されているレジスト層が移動接点の摺動によって削り取られて、削り取られた金属酸化物やレジスト層の粉体が移動接点と固定接点との間に侵入して両者の接続不良を生じるおそれもある。
【０００５】
本発明は、かかる問題点に鑑みてなされたものであり、固定接点や基板表面と移動接点との摺動に起因する接続不良を防止し得るロータリースイッチおよび測定装置を提供することを主目的とする。
【課題を解決するための手段】
【０００６】
上記目的を達成すべく請求項１記載のロータリースイッチは、ケース体に回動可能に配設された回動部材と、当該回動部材に取り付けられて当該回動部材の回動に伴って移動する移動接点と、前記ケース体内に配置された基板における前記回動部材の回動中心を中心とする円上において互いに離間するように形成されると共にその形成位置に移動した前記移動接点に接続される複数の固定接点とを備えたロータリースイッチであって、開口部を有して前記ケース体内の前記基板に対向配置されると共に前記回動中心から離間する向きに凹んだ凹部と当該回動中心に向けて突出する凸部とが当該開口部の縁部に交互に形成された板部材を備え、前記固定接点は、前記基板が前記ケース体内に配置された状態の平面視において前記回動中心と前記凹部とを結ぶ線上に形成され、前記回動部材は、当該回動部材を回動させる回動操作用のダイヤル部と、当該ダイヤル部の中心部から前記基板側に向けて突出するように当該ダイヤル部に設けられたロッド部と、基端部が前記ロッド部に固定されて開放端部によって前記開口部の前記縁部を押圧可能に構成されると共に当該回動部材に対する回動操作時に当該開放端部が当該縁部に沿って移動する際の前記回動中心に対する接離動作に伴って前記基板に対して接離するように弾性変形するアーム部とを備え、前記移動接点は、前記アーム部の前記基端部および前記開放端部の中間部位に取り付けられて前記回動部材の回動時における当該アーム部の前記弾性変形に伴って前記固定接点に対して接離する。
【０００７】
また、請求項２記載のロータリースイッチは、請求項１記載のロータリースイッチにおいて、前記アーム部は、前記ダイヤル部から前記基板に向かう向きで突出するように湾曲形成されている。
【０００８】
また、請求項３記載の測定装置は、請求項１または２記載のロータリースイッチと、当該ロータリースイッチの前記回動部材に対する回動操作に応じて動作が切り替えられる測定回路とを備えている。
【発明の効果】
【０００９】
請求項１記載のロータリースイッチ、および請求項３記載の測定装置では、凹部と凸部とが交互に形成された開口部の縁部に沿ってアーム部の開放端部が移動し、その際の回動部材の回動中心に対する開放端部の接離動作に伴ってアーム部が弾性変形し、この弾性変形によってアーム部が基板に対して接離する。このため、このロータリースイッチおよび測定装置によれば、アーム部の開放端部が縁部の凸部に沿って移動する間、つまり固定接点の非形成区間を移動接点が移動する間は移動接点を基板から離反させ、開放端部が縁部の凹部に位置したときに移動接点を固定接点に確実に接続させることができる。このため、このロータリースイッチおよび測定装置によれば、基板の表面に形成されているレジスト層や、固定接点および移動接点の表面に形成されているメッキが移動接点の摺動によって削り取られる事態を確実に防止することができる結果、固定接点や基板と移動接点との摺動に起因する接続不良を確実に防止することができる。
【００１０】
また、請求項２記載のロータリースイッチ、および請求項３記載の測定装置によれば、ダイヤル部から基板に向かう向きで突出するようにアーム部を湾曲形成したことにより、アーム部の開放端部が凸部に沿って移動して回動部材の回動中心に近接するときに、中間部位が基板に近接するようにアーム部を確実かつ容易に弾性変形させ、開放端部が凹部に位置して回動中心から離反するときに、中間部位が基板から離反するようにアーム部を確実かつ容易に弾性変形（復帰）させることができる。このため、このロータリースイッチおよび測定装置によれば、アーム部の中間部位に取り付けられている移動接点を、固定接点の非形成区間において基板からより確実に離反させると共に固定接点の形成位置において固定接点に対してより確実に接続させることができる。
【図面の簡単な説明】
【００１１】
【図１】測定装置１の斜視図である。
【図２】測定装置１の分解斜視図である。
【図３】ロータリースイッチ１３の構成を示す平面図である。
【図４】図３におけるＸ−Ｘ線断面図である。
【図５】ロータリースイッチ１３の動作を説明する第１の説明図である。
【図６】図５におけるＹ−Ｙ線断面図である。
【図７】ロータリースイッチ１３の動作を説明する第２の説明図である。
【図８】図７におけるＺ−Ｚ線断面図である。
【図９】移動接点４２の斜視図である。
【図１０】移動接点１４２の斜視図である。
【発明を実施するための形態】
【００１２】
以下、ロータリースイッチおよび測定装置の実施の形態について、添付図面を参照して説明する。
【００１３】
最初に、測定装置１の構成について図面を参照して説明する。図１に示す測定装置１は、一例として、電圧、電流および抵抗などの電気的物理量を測定する携帯型の測定装置であって、同図に示すように、本体部２と測定用のプローブ３，３とを備えて構成されている。
【００１４】
本体部２は、図２に示すように、ケース体１１、基板１２およびロータリースイッチ１３を備えて構成されている。ケース体１１は、同図に示すように、浅皿状に形成されて、互いに嵌合可能な上ケース１１ａおよび下ケース１１ｂを備えて構成され、両ケース１１ａ，１１ｂの嵌合状態において、基板１２が収容される空間を形成する。この場合、上ケース１１ａの正面パネル２１には、ケース体１１内に配設される図外の液晶表示パネルを視認可能な表示窓２４が形成されている。
【００１５】
また、正面パネル２１は、ロータリースイッチ１３の一部を構成する板部材として機能する。具体的には、正面パネル２１には、図３に示すように、ロータリースイッチ１３の回動部材４１におけるアーム部５３の開放端部５３ｂがその縁部２３に当接する開口部２２が形成されている。また、開口部２２の縁部２３には、回動中心４１ａから離間する向きに凹んだ凹部２３ａと回動部材４１の回動中心４１ａに向けて突出する円弧状の凸部２３ｂとが交互に形成されている。つまり、開口部２２の縁部２３は、凹部２３ａと凸部２３ｂとが交互に連結する波形に形成されている。この場合、開口部２２は、基板１２に形成されている後述する固定接点３１の形成位置を結ぶ円Ｃよりも大径に形成されている。なお、同図、および後述する図５，７では、ダイヤル部５１（図２参照）を透視した状態のロータリースイッチ１３を図示している。
【００１６】
基板１２は、図２に示すように、上ケース１１ａの正面パネル２１に対向するようにケース体１１の内部に配設される。また、図３に示すように、基板１２には、ロータリースイッチ１３の一部を構成する複数の固定接点３１が形成されている。この場合、各固定接点３１は、同図に示すように、基板１２がケース体１１内に配設された状態の平面視において、ロータリースイッチ１３の回動部材４１の回動中心４１ａを中心とする円Ｃ上であって、かつ正面パネル２１の開口部２２の凹部２３ａと回動中心４１ａとを結ぶ線Ｌ１上（つまり、円Ｃと線Ｌ１との交点上）の位置に形成されて、互いに離間している。また、各固定接点３１は、回動部材４１の回動に伴ってその形成位置に移動接点４２が移動したときに、その移動接点４２に接続される。なお、この基板１２では、正面パネル２１の開口部２２の凸部２３ｂと回動中心４１ａとを結ぶ線Ｌ２上には固定接点３１が形成されていない。
【００１７】
また、図２に示すように、基板１２には、プローブ３，３を介して入力した電気信号に基づいて電気的物理量を測定する測定回路３２が配設されている。この場合、測定回路３２は、後述するロータリースイッチ１３の回動部材４１を回動させる回動操作に応じて動作（測定モード）が切り替えられる。なお、基板１２には、固定接点３１以外の導体パターンが形成されると共に、電源部および液晶表示パネル等が実装されているが、図２〜図７では、これらの図示を省略する。
【００１８】
ロータリースイッチ１３は、図３，４に示すように、回動部材４１、移動接点４２、上記した正面パネル２１の一部（開口部２２が形成されている部位）、および上記した固定接点３１を備えて構成されている。回動部材４１は、ダイヤル部５１、ロッド部５２および２本のアーム部５３を備えて構成されて、ケース体１１に回動可能に配設されている。
【００１９】
ダイヤル部５１は、図２，４に示すように、円板状に形成されて、ケース体１１の正面パネル２１側に配置されて、回動部材４１を回動させる回動操作の際に用いられる。ロッド部５２は、図４に示すように、ダイヤル部５１の中心部５１ａ（回動部材４１の回動中心４１ａ）から基板１２側（同図における下側）に向けて突出するようにダイヤル部５１に設けられている。この場合、ロッド部５２の先端部５２ａは、同図に示すように、基板１２に形成されている挿通孔に挿通されて、下ケース１１ｂに回動可能に支持されている。
【００２０】
アーム部５３は、図３，４に示すように、帯状に形成されると共に、弾性変形可能に構成されている。この場合、アーム部５３は、基端部５３ａ（基板１２側であって図４では下側の端部）がロッド部５２の先端部５２ａ側に固定されて、開放端部５３ｂによって正面パネル２１における開口部２２の縁部２３をその弾性力で押圧するように構成されている。このため、アーム部５３の開放端部５３ｂと開口部２２の縁部２３とが常に接触した状態に維持されている。また、アーム部５３は、図４に示すように、ダイヤル部５１から基板１２に向かう向きで突出して弓なりに湾曲するアーチ状に形成されている。
【００２１】
このロータリースイッチ１３では、開口部２２の縁部２３とアーム部５３の開放端部５３ｂとが常に接触しているため、回動部材４１が回動操作されたときには、開放端部５３ｂが開口部２２の縁部２３に沿って移動する。この場合、開口部２２の縁部２３が波形に形成されているため、開放端部５３ｂが縁部２３に沿って移動する際に、開放端部５３ｂが回動部材４１の回動中心４１ａに対して接離するように動作（接離動作）し、これに伴ってアーム部５３が基板１２に対して中間部位を接離させるように弾性変形する。より具体的には、アーム部５３は、開放端部５３ｂが縁部２３の凹部２３ａに当接しているときには中間部位が基板１２に接近し、開放端部５３ｂが縁部２３の凸部２３ｂに当接しているときには中間部位が基板１２から離反するように弾性変形する。なお、上記の回動部材４１は、一例として、ダイヤル部５１、ロッド部５２およびアーム部５３，５３を樹脂によって一体成形することによって作製されている。
【００２２】
移動接点４２は、図９に示すように、平板状の基体部４２ａと、基体部４２ａから突出するように形成された脚部４２ｂとを備えて構成されている。この場合、移動接点４２は、導電性および弾性を有する材料（一例として、リン青銅の板体の表面に金メッキ加工を施した材料）を例えば曲げ加工することによって作製される。また、移動接点４２は、図４に示すように、アーム部５３における基端部５３ａおよび開放端部５３ｂの中間部位に基体部４２ａが固定されることにより、脚部４２ｂの先端部が回動部材４１の回動中心４１ａから離反する向きに突出するようにしてアーム部５３に取り付けられている。この移動接点４２は、回動部材４１の回動操作に伴って移動する。また、移動接点４２は、回動部材４１の回動操作時における上記したアーム部５３の弾性変形に伴い、固定接点３１（基板１２の表面）に対して接離するように動作する（図４，６参照）。より具体的には、移動接点４２は、アーム部５３の開放端部５３ｂが開口部２２における縁部２３の凹部２３ａに当接しているときには固定接点３１（基板１２の表面）に接触し、開放端部５３ｂが縁部２３の凸部２３ｂに当接しているときには基板１２の表面から離反する。
【００２３】
次に、測定装置１の使用方法について、図面を参照して説明する。 
【００２４】
この測定装置１では、図３に示すように、ロータリースイッチ１３のダイヤル部５１に付されているマーカーＭと正面パネル２１に付されている電源オフを示すマーク（同図に示す「ＯＦＦ」のマーク）とが対向しているとき（測定装置１が電源オフ状態のとき）には、測定回路３２に対する電源供給が停止している。この状態では、同図に示すように、アーム部５３の開放端部５３ｂが正面パネル２１における開口部２２の縁部２３を構成する凹部２３ａに位置し、アーム部５３の弾性力によって開放端部５３ｂが縁部２３を押圧している。この場合、アーム部５３の開放端部５３ｂが凹部２３ａに位置しているときには、図４に示すように、開放端部５３ｂが回動部材４１の回動中心４１ａから大きく離反して、アーム部５３が大きな曲率で湾曲している。このため、この状態では、アーム部５３の中間部位が基板１２に近接する結果、アーム部５３の中間部位に取り付けられている移動接点４２が基板１２の表面に接触する。
【００２５】
次いで、例えば、測定対象体に供給されている直流電圧を測定する際には、ダイヤル部５１を図３に示す矢印Ａの向きに回動させる。この際に、開放端部５３ｂが開口部２２の縁部２３に沿って移動する。この場合、図５に示すように、開放端部５３ｂが縁部２３の凹部２３ａから凸部２３ｂに向けて移動するときには、開放端部５３ｂが回動部材４１の回動中心４１ａに徐々に近接して、図６に示すように、アーム部５３が小さな曲率で湾曲するように弾性変形する。このため、同図に示すように、アーム部５３の中間部位が基板１２から離反する向きに移動する結果、アーム部５３の中間部位に取り付けられている移動接点４２が基板１２の表面から離反する。
【００２６】
続いて、ダイヤル部５１をさらに回動させる。この場合、開放端部５３ｂが縁部２３の凸部２３ｂから次の凹部２３ａに向けて移動するときには、開放端部５３ｂが回動部材４１の回動中心４１ａから徐々に離反する。これに伴い、アーム部５３が徐々に大きな曲率で湾曲するように弾性変形するため、この弾性変形によってアーム部５３の中間部位が基板１２に徐々に近接する。この結果、アーム部５３の中間部位に取り付けられている移動接点４２が基板１２の表面に向けて移動させられる。
【００２７】
次いで、図７に示すように、ダイヤル部５１に付されているマーカーＭと正面パネル２１に付されている直流電圧を示すマーク（同図に示す「ＤＣＶ」のマーク）とが対向するまでダイヤル部５１を回動させたときには、同図に示すように、アーム部５３の開放端部５３ｂが開口部２２の縁部２３を構成する凹部２３ａに位置する。この際に、図８に示すように、開放端部５３ｂが回動部材４１の回動中心４１ａから大きく離反して、アーム部５３が大きな曲率で湾曲するように弾性変形する。このため、アーム部５３の中間部位が基板１２に近接する結果、図７に示すように、アーム部５３の中間部位に取り付けられている移動接点４２が基板１２の表面に形成されている一対の固定接点３１，３１に押し付けられる。これにより、両固定接点３１と移動接点４２とが確実に接続されて、両固定接点３１，３１および移動接点４２を介して測定回路３２に電源が供給される。
【００２８】
ここで、このロータリースイッチ１３では、上記したように、回動部材４１に対する回動操作時においてアーム部５３の開放端部５３ｂが縁部２３に沿って移動する際の回動部材４１の回動中心４１ａに対する接離動作に伴ってアーム部５３が曲率を変化させつつ弾性変形し、これによってアーム部５３の中間部位が基板１２の表面に対して接離する。この場合、アーム部５３の開放端部５３ｂが縁部２３の凸部２３ｂに沿って移動する間、つまり固定接点３１の形成されていない区間（非形成区間）を移動接点４２が移動する間は移動接点４２が基板１２の表面から離反し、開放端部５３ｂが縁部２３の凹部２３ａに位置したときに移動接点４２が固定接点３１に確実に接続される。このため、このロータリースイッチ１３では、基板１２の表面に形成されているレジスト層や、固定接点３１および移動接点４２の表面に形成されているメッキが移動接点４２の摺動によって削り取られる事態を確実に防止することが可能となっている。
【００２９】
続いて、プローブ３，３を測定対象体に接触（プロービング）させる。この際に、測定回路３２が、プローブ３，３を介して入力した電気信号に基づいて直流電圧を測定し、液晶表示パネル部がその測定値を表示する。次に、直流電圧以外の他の電気的物理量（交流電圧、電流、抵抗）を測定する際には、ダイヤル部５１を回動させる。この際に、ロータリースイッチ１３の各構成要素が上記したように動作して、測定回路３２の測定モードが切り替えられる。これにより、他の電気的物理量の測定が可能な状態となる。
【００３０】
このように、このロータリースイッチ１３および測定装置１では、回動部材４１に対する回動操作時において波形に形成された開口部２２の縁部２３に沿って開放端部５３ｂが移動し、その際の回動部材４１の回動中心４１ａに対する開放端部５３ｂの接離動作に伴ってアーム部５３が弾性変形し、この弾性変形によってアーム部５３が基板１２の表面に対して接離する。このため、このロータリースイッチ１３および測定装置１によれば、アーム部５３の開放端部５３ｂが縁部２３の凸部２３ｂに沿って移動する間、つまり固定接点３１の非形成区間を移動接点４２が移動する間は移動接点４２を基板１２の表面から離反させ、開放端部５３ｂが縁部２３の凹部２３ａに位置したときに移動接点４２を固定接点３１に確実に接続させることができる。このため、このロータリースイッチ１３および測定装置１によれば、基板１２の表面に形成されているレジスト層や、固定接点３１および移動接点４２の表面に形成されているメッキが移動接点４２の摺動によって削り取られる事態を確実に防止することができる結果、固定接点３１や基板１２の表面と移動接点４２との摺動に起因する接続不良を確実に防止することができる。
【００３１】
また、このロータリースイッチ１３および測定装置１によれば、ダイヤル部５１から基板１２に向かう向きで突出するようにアーム部５３を湾曲形成したことにより、アーム部５３の開放端部５３ｂが凸部２３ｂに沿って移動して回動部材４１の回動中心４１ａに近接するときに、中間部位が基板１２に近接するようにアーム部５３を確実かつ容易に弾性変形させ、開放端部５３ｂが凹部２３ａに位置して回動中心４１ａから離反するときに、中間部位が基板１２から離反するようにアーム部５３を確実かつ容易に弾性変形（復帰）させることができる。このため、このロータリースイッチ１３および測定装置１によれば、アーム部５３の中間部位に取り付けられている移動接点４２を、固定接点３１の非形成区間において基板１２からより確実に離反させると共に固定接点３１の形成位置において固定接点３１に対してより確実に接続させることができる。
【００３２】
なお、アーム部５３を湾曲形成した例について上記したが、例えば、開放端部５３ｂが凹部２３ａに位置しているときに真っ直ぐな状態となるように形成したアーム部５３を採用することもできる。また、２本のアーム部５３を備えた例について上記したが、１本または３本以上のアーム部５３を備えた構成を採用することもできる。また、正面パネル２１をロータリースイッチ１３の一部を構成する板部材として機能させる構成例について上記したが、上記した開口部２２と同様の開口部を有して、正面パネル２１とは別体に形成した板部材をケース体１１（上ケース１１ａ）に配設する構成を採用することもできる。
【００３３】
また、移動接点は、上記した移動接点４２に限定されない。例えば、図１０に示すように、平板状の基体部１４２ａと、基体部１４２ａから突出するように形成されて固定接点３１，３１にそれぞれ接続される２本の脚部１４２ｂとを備えた移動接点１４２を採用することもできる。また、上記の例では、１つの移動接点４２が一対の固定接点３１，３１に接続されて各接点４２，３１，３１を介して測定回路３２に電源が供給される例について上記したが、一対のアーム部５３にそれぞれ取り付けられている一対の移動接点４２を導線等を用いて電気的に接続すると共に１つの移動接点４２が１つの固定接点３１にのみ接続するように構成し、これら２つの移動接点４２がそれぞれ１つの固定接点３１に接続したときに、各移動接点４２，４２および各固定接点３１（合計２つの固定接点３１）を介して測定回路３２に電源が供給される構成を採用することもできる。さらに、電圧、電流および抵抗などの電気的物理量を測定する携帯型の測定装置１にロータリースイッチ１３を設けた例について上記したが、卓上型の測定装置や波形記録装置などの測定装置を初めとして他の各種の電子機器に設けることができる。
【符号の説明】
【００３４】
１  測定装置
１１  ケース体
１２  基板
１３  ロータリースイッチ
２１  正面パネル
２２  開口部
２３  縁部
２３ａ  凹部
２３ｂ  凸部
３１  固定接点
３２  測定回路
４１  回動部材
４１ａ  回動中心
４２，１４２  移動接点
５１  ダイヤル部
５１ａ  中心部
５２  ロッド部
５２ａ  先端部
５３  アーム部
５３ａ  基端部
５３ｂ  開放端部
Ｃ  円
Ｌ１  線
【図１】
2011048908.tif 000003
【図２】
2011048908.tif 000004
【図３】
2011048908.tif 000005
【図４】
2011048908.tif 000006
【図５】
2011048908.tif 000007
【図６】
2011048908.tif 000008
【図７】
2011048908.tif 000009
【図８】
2011048908.tif 000010
【図９】
2011048908.tif 000011
【図１０】
2011048908.tif 000012